(57)【要約】【課題】収納物の幅径に応じてその幅径を容易に変更して好適に収納することができる収納搬送用容器の提供を目的とする。【解決手段】上面及び相対向する一方の両側面を開口し、相対向する他方の両側面に側面部２を有してなる箱体構成部材３の開口両側面４には、同じく相対向する一方の両側面を開口してなる箱体構成部材を接続自在とするとともに、さらにこの開口両側面には箱体形成用側面板５を取り付け自在とし、収納物の幅径に応じて収納幅径を調整することを可能とする。【選択図】図１
2006206113.tif 000002
【特許請求の範囲】
【請求項１】
上面及び相対向する一方の両側面を開口し、相対向する他方の両側面に側面部を有してなる箱体構成部材の前記開口両側面には、同じく相対向する一方の両側面を開口してなる箱体構成部材を接続自在とするとともに、さらにこの開口両側面には箱体形成用側面板を取り付け自在とし、収納物の幅径に応じて収納幅径を調整することができることを特徴とする収納搬送用容器。
【請求項２】
複数の箱体構成部材の接続に際しては双方の開口部周部に形成された通孔部に接続具を挿入係止することにより接続固定することを特徴とする請求項１記載の収納搬送用容器。
【請求項３】
箱体構成部材の開口両側面に取付けられ箱体を構成する箱体形成用側面板の取付けに際しては、箱体構成部材開口部周部に形成された通孔部と箱体形成用側面板周部に形成された通孔部に接続具を挿入係止することにより取付けることを特徴とする請求項１記載の収納搬送用容器。
【請求項４】
箱体構成部材の開口両側面に取付けられる箱体形成用側面板は箱体構成部材の両側面開口径に合わせて切断形成することのできる発泡スチロール等の切断容易な合成樹脂製板体よりなることを特徴とする請求項１記載の収納搬送用容器。
【請求項５】
箱体構成部材の上下面周部には上下段方向に複数段積重ねるための係合部を形成したことを特徴とする請求項１記載の収納搬送用容器。
【請求項６】
接続具は通孔部に挿入された際に外方向に対し付勢力を有する弾性部材からなることを特徴とする請求項１記載の収納搬送用容器。
【請求項７】
箱体構成部材底部には水切用通孔部を形成したことを特徴とする請求項１記載の収納搬送用容器。
【発明の詳細な説明】
【技術分野】
【０００１】
本発明は、液晶ディスプレイのバックライトとして用いられる放電管等のようにその長さが種々存在する物品を収納搬送するための収納搬送用容器に係り、特に収納物の長さ等の幅径に応じてその幅径を容易に変更することができる収納搬送用容器に関する。
【背景技術】
【０００２】
従来、液晶ディスプレイのバックライトとして用いられる放電管等のようにその長さが種々存在するものを収納搬送するためには、収納物の幅径に応じてその幅径を設定した合成樹脂製や段ボール製の箱型容器が複数種作成されていた。
【特許文献１】特開平９−２９５６８６号公報
【発明の開示】
【発明が解決しようとする課題】
【０００３】
しかしながら、幅径、特に長さが異なる多種の収納物について、その都度その長さに応じた幅径の容器を作成することは、製造コストが増大することに加え、その多種の容器を管理するにも多大な手間と多大な収納スペースを要していた。
【０００４】
そこで本発明にあっては、これらの課題を解決すべく、収納物の幅径に応じてその幅径を容易に変更して好適に収納することができる収納搬送用容器を提供することを目的とする。
【課題を解決するための手段】
【０００５】
上記目的を達成するため、本発明の収納搬送用容器は、上面及び相対向する一方の両側面を開口し、相対向する他方の両側面に側面部を有してなる箱体構成部材の前記開口両側面には、同じく相対向する一方の両側面を開口してなる箱体構成部材を接続自在とするとともに、さらにこの開口両側面には箱体形成用側面板を取り付け自在とし、収納物の幅径に応じて収納幅径を調整することができることを特徴とする。
【０００６】
また、複数の箱体構成部材の接続に際しては双方の開口部周部に形成された通孔部に接続具を挿入係止することにより接続固定することを特徴とする。
【０００７】
また、箱体構成部材の開口両側面に取付けられ箱体を構成する箱体形成用側面板の取付けに際しては、箱体構成部材開口部周部に形成された通孔部と箱体形成用側面板周部に形成された通孔部に接続具を挿入係止することにより取付けることを特徴とする。
【０００８】
また、箱体構成部材の開口両側面に取付けられる箱体形成用側面板は箱体構成部材の両側面開口径に合わせて切断形成することのできる発泡スチロール等の切断容易な合成樹脂製板体よりなることを特徴とする。
【０００９】
また、箱体構成部材の上下面周部には上下段方向に複数段積重ねるための係合部を形成したことを特徴とする。
【００１０】
また、接続具は通孔部に挿入された際に外方向に対し付勢力を有する弾性部材からなることを特徴とする。
【００１１】
また、箱体構成部材底部には水切用通孔部を形成したことを特徴とする。
【発明の効果】
【００１２】
本発明の収納搬送用容器によれば、上面及び相対向する一方の両側面を開口し、相対向する他方の両側面に側面部を有してなる箱体構成部材の前記開口両側面には、同じく相対向する一方の両側面を開口してなる箱体構成部材を接続自在とするとともに、さらにこの開口両側面には箱体形成用側面板を取り付け自在とすることで、収納物の幅径に応じて箱体構成部材を開口両側面で複数接続しさらに開口両側面に箱体形成用側面板を取り付けることにより、所望する幅径の収納搬送用容器とすることができる。
【００１３】
また、複数の箱体構成部材の接続に際しては双方の開口部周部に形成された通孔部に接続具を挿入係止することで、箱体構成部材の収納域に接続具が露出することなく収納物を好適に収納することができるとともに、接続具の挿入という簡単な操作で容易に接続することが可能となる。
【００１４】
また、箱体構成部材の開口両側面に取付けられ箱体を構成する箱体形成用側面板の取付けに際しては、箱体構成部材開口部周部に形成された通孔部と箱体形成用側面板周部に形成された通孔部に接続具を挿入係止することにより取付けることで、複数の箱体構成部材の接続と同じ通孔部と接続具がそのまま用いることができ、かつ箱体構成部材に箱体形成用側面板を取り付けて容易に所望の箱体を形成することができる。
【００１５】
また、箱体構成部材の開口両側面に取付けられる箱体形成用側面板は箱体構成部材の両側面開口径に合わせて切断形成することのできる発泡スチロール等の切断容易な合成樹脂製板体よりなることで、収納搬送用容器の側面板を射出成形金型を用いることなく切断加工により容易に製造することができる。
【００１６】
また、箱体構成部材の上下面周部には上下段方向に複数段積重ねるための係合部を形成したことで、収納搬送用容器を上下に積み重ねた際に位置ずれすることなく確実に安定して係合することができる。
【００１７】
また、接続具は通孔部に挿入された際に外方向に対し付勢力を有する弾性部材からなることで、接続具の通孔部への挿入が容易であるとともに、特殊な工具を必要とすることなく接続具を通孔部から離脱させることもできる。
【００１８】
また、箱体構成部材底部には水切用通孔部を形成したことで、収納搬送用容器それ自体の洗浄や収納物の洗浄に際して、洗浄水を容易に排水することで清潔で高品質を維持することができる。
【発明を実施するための最良の形態】
【００１９】
図１〜図５は、本発明の収納搬送用容器１を示すものであり、この収納搬送用容器１は、上面及び相対向する一方の両側面を開口し、相対向する他方の両側面に側面部２を有してなる縦断面が横向きコ字形状の合成樹脂製の箱体構成部材３と、開口両側面４に係合して箱体を形成するための発泡スチロール等の切断容易な合成樹脂製板体からなる側面板５と、外方向に対し付勢力を有する合成樹脂製の弾性部材からなるアンカークリップ等の接続具６から構成される。
【００２０】
接続具６は、自動車や家庭電化製品のパネルを取り付けるのに多く用いられるもので、接続具６の先端にその基端部を位置させるとともに他端を遊端部とする相対向する１対の「く」字形状の撓曲部の弾性を利用してパネル等を接続固定するものである。すなわち、通孔部に接続具６をその先端から挿入していくと、撓曲部はその幅径よりも小径な孔面に押されて窄んでいき、撓曲部の最大幅径である峰部が通孔部を通り抜けると、撓曲部は逆に拡がって通孔部に接続具６が固定されるものである。この接続具６は、挿入する取付力に対して、離脱させる抜去力が高いことから、取り付けが容易で確実に接続固定することができる構造である。
【００２１】
図１は、収納搬送用容器１の組立状態を示しており、まず２個の箱体構成部材３の開口両側面４同志を当接させ、開口両側面４の鍔縁状に収納域の外側に形成された周部に複数個所に形成された係合凸部７と係合孔部８を互いに嵌合させることで位置合わせする。次に、２個の箱体構成部材３の開口両側面４の周部を貫通する８個所の通孔部９に、それぞれ接続具６を挿入することで２個の箱体構成部材３を確実に接続する。
また、側面板５の周部にも箱体構成部材３同様にその係合凸部７と当接する位置に係合孔部１０が４個所穿設されており、この側面板５を開口両側面４にそれぞれ係合させ、接続具６で側面板５の８個所に接続する。
【００２２】
箱体構成部材３の底部１１には、図３に示すごとく、箱体としての剛性を発揮すべく収納域の裏面全域に深い格子状のリブ構造を形成するとともに、その各格子には水切用通孔部１２を形成し、収納物や容器そのものを洗浄する際に洗浄水を排水しやすくしている。
【００２３】
図４は、収納搬送用容器を積み重ねた状態を示しており、一例として、箱体構成部材３を３個連設した収納搬送用容器１４の上面に、１個の箱体構成部材３からなる収納搬送用容器１５を２個積み重ねている。収納搬送用容器を積み重ね可能とするために箱体構成部材３の上面周部には上下段方向に複数段積重ねるための係合部１３を凸設し、この係合部１２は図３に示す箱体構成部材３底面のリブ外周面１６に当接して係合するものである。
【００２４】
図５は、放電管などの収納物１７の長さに合わせて箱体構成部材３を接続（本実施例の場合２個）して形成した収納搬送用容器１の使用状態を示している。このように、本発明の収納搬送用容器にあっては、１つの射出成形金型による合成樹脂製の箱体構成部材と、切断加工による合成樹脂製の側面板と、既存の合成樹脂製の接続具を用いるだけで、収納物の長さに応じた所望の容器を容易に得られるものである。また、合成樹脂材のみによる収納搬送用容器とすることで、リサイクルも容易に行えるものである。
【００２５】
尚、上述した実施例にあっては、収納搬送用容器に収納するものを、液晶ディスプレイのバックライトとして用いられる放電管として説明したが、勿論これに限定されることはなく、放電管以外の物品であってもよいものである。
【図面の簡単な説明】
【００２６】
【図１】本発明の収納搬送用容器の組立状態を示す斜視図である。
【図２】本発明の収納搬送用容器における箱体構成部材を示す斜視図である。
【図３】本発明の収納搬送用容器における箱体構成部材の底面を示す斜視図である。
【図４】本発明の収納搬送用容器の積み重ね状態を示す斜視図である。
【図５】本発明の収納搬送用容器の使用状態を示す平面図である。
【符号の説明】
【００２７】
１  収納搬送用容器
２  側面部
３  箱体構成部材
４  開口両側面
５  側面板
６  接続具
７  係合凸部
８  係合孔部
９  通孔部
１０  係合孔部
１１  底部
１２  水切用通孔部
１３  係合部
１４  収納搬送用容器
１５  収納搬送用容器
１６  リブ外周面
１７  収納物
【図１】
2006206113.tif 000003
【図２】
2006206113.tif 000004
【図３】
2006206113.tif 000005
【図４】
2006206113.tif 000006
【図５】
2006206113.tif 000007